(57)【要約】【課題】明時及び暗時の双方において第１パターンと第２パターンとの間でのコントラストの高い標示が可能で、明時と暗時とで第１パターンと第２パターンとの間の明暗関係の反転した標示が可能で、構成が簡単な標示装置を提供する。【解決手段】第１パターンの外形を持ち且つ第２パターンの形状の光透過部２を持つ前面部材１と、光透過部２に対応する領域に配置された光制御フィルム４と、光制御フィルム４の背後に配置された主光源６とを備えている。光制御フィルム４は、透明基材４１に遮光部４２を形成することで遮光領域中に微細な透光領域が分散して配置されているものである。遮光領域及び透光領域の面積の合計に対する透光領域の面積の比率は１０〜２０％とされている。遮光領域の光透過率は１０％以下であり、透光領域の光透過率は９５％以上である。透光領域はドット状またはライン状をなしている。【選択図】図２
2007163760.tif 000002
【特許請求の範囲】
【請求項１】
第１のパターンと第２のパターンとのコントラストを利用する標示装置であって、
前記第１のパターンの外形を持ち且つ前記第２のパターンの形状の光透過部を持つ前面部材と、前記光透過部に対応する領域に配置された光制御フィルムと、該光制御フィルムの背後に配置された主光源とを備えており、
前記光制御フィルムは遮光領域中に微細な透光領域が分散して配置されているものであり、前記遮光領域及び透光領域の面積の合計に対する前記透光領域の面積の比率が１０〜２０％とされていることを特徴とする標示装置。
【請求項２】
前記遮光領域の光透過率は１０％以下であり、前記透光領域の光透過率は９５％以上であることを特徴とする、請求項１に記載の標示装置。
【請求項３】
前記前面部材の表面は前記遮光領域の表面より明度が高いか又は金属光沢を有することを特徴とする、請求項１〜２のいずれかに記載の標示装置。
【請求項４】
前記透光領域はドット状またはライン状をなしていることを特徴とする、請求項１〜３のいずれかに記載の標示装置。
【請求項５】
前記光制御フィルムの背後に光拡散板が配置されていることを特徴とする、請求項１〜４のいずれかに記載の標示装置。
【請求項６】
前記標示装置は、更に、前記主光源の配置されている領域以外の領域において、前記前面部材の背後に後方への光照射のための間接照明光源を備えていることを特徴とする、請求項１〜５のいずれかに記載の標示装置。
【請求項７】
前記間接照明光源はＬＥＤからなることを特徴とする、請求項６に記載の標示装置。
【請求項８】
前記主光源はＬＥＤからなることを特徴とする、請求項１〜７のいずれかに記載の標示装置。
【発明の詳細な説明】
【技術分野】
【０００１】
本発明は、シンボルマーク標示器及び広告看板などの標示装置に関するものであり、特に、周囲が明るい時と暗い時とで２種類の標示パターン間の明暗関係を反転させた標示を行うことが可能な標示装置に関する。
【背景技術】
【０００２】
シンボルマーク標示器及び広告看板その他の標示装置の多くは、複数種類の標示パターンの組み合わせを用いている。たとえば、シンボルマーク表示器においてはロゴマークパターンと社名などのワードマークパターンとの組み合わせが利用されており、広告看板においては図柄パターンとキャッチフレーズや社名などのワードマークパターンとの組み合わせが利用されている。観察者に与える印象の点では、ワードマークパターンはロゴマークパターンや図柄パターンからある程度独立したものである。
【０００３】
標示装置は、その目的からして観察者に強い印象を与えるものであることが望ましい。特に、近年においては、昼夜を問わず同一の標示装置により標示効果を得ることが望まれている。しかるに、このような昼夜兼用の従来の一般的な標示装置においては、昼間においては外光を利用して標示パターンを正面側から照明し、夜間においては標示パターンの正面側に配置した照明装置により標示パターンに対する照明を行うようにしている。この場合、標示におけるロゴマークパターンや図柄パターンに対するワードマークパターンの明暗の関係は、昼間及び夜間において基本的には変わるところがない。即ち、昼間においてロゴマークパターンや図柄パターンに対してワードマークパターンが暗い標示の場合には、夜間においてもロゴマークパターンや図柄パターンに対してワードマークパターンが暗い標示となる。
【０００４】
尚、暗時において明時とは異なる標示効果を得るために、光透過性フィルム上にロゴマークパターンや図柄パターン及びワードマークパターンの双方（即ち全てのパターン）を印刷などにより形成し、この光透過性フィルムの背面側に光源を配置したものがある。しかるに、この標示装置においては、標示全体としての印象は昼間における外光による正面側からの照明の場合と夜間における光源による背面側からの照明の場合とで異なるのであるが、標示におけるロゴマークパターンや図柄パターン等の第１のパターンに対するワードマークパターン等の第２のパターンの明暗関係は変わるところがない。
【０００５】
以上のような従来の昼夜兼用の標示装置では、標示におけるロゴマークパターンや図柄パターン等の第１のパターンに対するワードマークパターン等の第２のパターンの明暗関係は昼間と夜間とで変わるところがないので、昼間と夜間とにおける第１パターンと第２パターンとの明暗関係における大きな変化に基づく強い印象を観察者に対して与えることはできなかった。
【０００６】
一方、特許文献１には、インパクトが強く、意外性及び演出性等に優れた表示機能を有する照光表示用積層体を提供するために、透明乃至半透明の基板に、文字図柄層、黒色顔料及び着色顔料を含有する顔料組成物層、及び着色顔料を含有する顔料組成物層を積層することが、開示されている。また、特許文献２には、反射条件で黒くまたは暗色に見えて隠蔽性を発揮し、内照条件ではフィルム下の明るいイメージを視認可能にする光透過着色フィルムを提供するために、金属光沢顔料を含有する第１光透過層と、黒色または暗色着色材を含有する第２光透過層とを積層することが、開示されている。
【特許文献１】特開２００２−１８２５９４号公報
【特許文献２】特開２００４−１０１７１２号公報
【発明の開示】
【発明が解決しようとする課題】
【０００７】
以上の特許文献１に記載の積層体または特許文献２に記載のフィルムを使用することで、明時と暗時とにおける第１のパターンに対する第２のパターンの明暗関係の大きな変化を実現する標示装置を構成することが考えられる。
【０００８】
しかしながら、特許文献１に記載の積層体または特許文献２に記載のフィルムでは、標示における上記明暗関係の大きな変化を得るためには、複数の機能層の積層体を使用するので、構成が複雑であり低コスト化に不利であるという問題点がある。
【０００９】
本発明の目的は、明時及び暗時の双方において第１のパターンと第２のパターンとの間でのコントラストの高い標示が可能で、明時と暗時とで第１のパターンと第２のパターンとの間の明暗関係の反転した標示が可能で、しかも構成が簡単な標示装置を提供することにある。
【課題を解決するための手段】
【００１０】
本発明によれば、上記の課題を解決するものとして、
第１のパターンと第２のパターンとのコントラストを利用する標示装置であって、
前記第１のパターンの外形を持ち且つ前記第２のパターンの形状の光透過部を持つ前面部材と、前記光透過部に対応する領域に配置された光制御フィルムと、該光制御フィルムの背後に配置された主光源とを備えており、
前記光制御フィルムは遮光領域中に微細な透光領域が分散して配置されているものであり、前記遮光領域及び透光領域の面積の合計に対する前記透光領域の面積の比率が１０〜２０％とされていることを特徴とする標示装置、
が提供される。
【００１１】
本発明の一態様においては、前記遮光領域の光透過率は１０％以下であり、前記透光領域の光透過率は９５％以上である。本発明の一態様においては、前記前面部材の表面は前記遮光領域の表面より明度が高いか又は金属光沢を有する。本発明の一態様においては、前記透光領域はドット状またはライン状をなしている。本発明の一態様においては、前記光制御フィルムの背後に光拡散板が配置されている。本発明の一態様においては、前記標示装置は、更に、前記主光源の配置されている領域以外の領域において、前記前面部材の背後に後方への光照射のための間接照明光源を備えている。本発明の一態様においては、前記間接照明光源はＬＥＤからなる。本発明の一態様においては、前記主光源はＬＥＤからなる。
【発明の効果】
【００１２】
以上のような本発明の標示装置は、前面部材の光透過部に対応する領域に光制御フィルムを配置し、該光制御フィルムの背後に主光源を配置し、前記光制御フィルムとして遮光領域中に微細な透光領域が分散して配置されているものを使用し、前記遮光領域及び透光領域の面積の合計に対する前記透光領域の面積の比率を１０〜２０％としたことで、明時及び暗時の双方において第１のパターンと第２のパターンとの間でのコントラストの高い標示が可能であり、明時と暗時とで第１のパターンと第２のパターンとの間の明暗関係の反転した標示が可能であり、しかも構成が簡単である。
【発明を実施するための最良の形態】
【００１３】
以下、図面を参照しながら、本発明の実施の形態を説明する。
【００１４】
図１は本発明による標示装置の一つの実施形態であるシンボルマーク標示器を示す模式的平面図であり、図２はそのＸ−Ｘ線に沿った模式的部分分解断面図である。
【００１５】
本実施形態の標示装置においては、第１のパターンの外形を持つ前面部材１に第２のパターンの形状の光透過部２が形成されている。前面部材１は、円環形部分１Ａと該円環形部分の一つの直径方向に延びた帯形部分１Ｂとからなる。第１のパターンは、これら部分１Ａ，１Ｂの形状である円環形と帯形との組み合わせの図形からなるロゴマークである。但し、本発明においては、第１のパターンは、四角形などの単純な形状のものであってもよい。光透過部２は、帯形部分１Ｂにパターン状に形成された開口（切欠であってもよい）からなり、図示されるように「ＡＢＣＤ」などの文字列からなるワードマークである。
【００１６】
前面部材１は、たとえば、厚さ１ｍｍ程度のステンレススチール製の板状の部材からなり、その表面形状は平面であってもよいし適宜の曲面であってもよい。従って、本実施形態では、前面部材１はその表面及び裏面がいずれも銀色の金属光沢を有する。或いは、前面部材１は、白色系その他の高明度の塗装面であってもよい。
【００１７】
図２に示されているように、前面部材１の背面側には、透明保護板３、光制御フィルム４、光拡散板５、複数の主光源６、及び背面部材７が、この順に配列されている。透明保護板３は、たとえば厚さ２〜５ｍｍのアクリル樹脂板からなり、光透過部２を通して光制御フィルム４が外部に露出することで傷つくのを防止する機能を持つ。
【００１８】
図３に光制御フィルム４の具体例の模式的部分拡大平面図を示す。光制御フィルム４は、遮光領域４Ａ中に微細な透光領域４Ｂが分散して配置されているものである。図３（ａ）の具体例では、透光領域４Ｂはドット状をなしている。透光領域４Ｂのドット形状は、図３（ａ）では円形とされているが、これに限定されることはなく、三角形、四角形、五角形、六角形・・・・等の多角形、または星形または十字形などであってもよい。ドットの配列は、規則性の低いものであるのが好ましく、特にランダムであるのが好ましい。図３（ｂ）の具体例では、透光領域４Ｂはライン状をなしている。ラインの配列ピッチは、規則性の低いものであるのが好ましい。ドットの径（短径）またはラインの幅は、例えば０．０１ｍｍ〜０．５ｍｍ、好ましく０．０１ｍｍ〜０．２ｍｍ、更に好ましくは０．０１ｍｍ〜０．１ｍｍである。但し、これらの寸法は、第２のパターンの大きさ及び観察者までの距離に応じて、次のように設定することができる。即ち、明時の第２のパターンの観察の際に、遮光領域４Ａが平均化されて視認されるようにする（即ち透光領域４Ｂが視認されないようにする）。また、暗時の第２のパターンの観察の際に、透光領域４Ｂから出射する光が平均化されて視認されるようにする（即ち遮光領域４Ａの影が視認されないようにする）。
【００１９】
図２に示されているように、光制御フィルム４は、透明基材４１の表面に遮光性インクによる印刷を施して遮光部４２を形成することで、得ることができる。透明基材４１としては、たとえば厚さ０．１〜０．３ｍｍ程度のポリエチレンテレフタレート（ＰＥＴ）製透明フィルムを使用することができる。印刷方法としては、たとえば、オフセット印刷またはシルクスクリーン印刷を用いることができる。遮光部４２を形成するための遮光性インクとしては、たとえばカーボンブラック等の黒色顔料その他の濃色に着色可能な着色剤を含有する紫外線硬化型のインクを使用することができる。遮光部４２の厚さは、オフセット印刷の場合にはたとえば１μｍ程度であり、シルクスクリーン印刷の場合にはたとえば６〜７μｍ程度である。以上のようにして、遮光領域４Ａは透明基材４１及び遮光部４２の積層体により構成され、透光領域４Ｂは透明基材４１により構成される。好ましくは、遮光領域４Ａの光透過率は１０％以下、たとえば８％以下、特に６％以下であり、透光領域４Ｂの光透過率は９５％以上、たとえば９７％以上、特に９９％以上である。
【００２０】
本発明においては、遮光領域４Ａ及び透光領域４Ｂの面積の合計に対する透光領域４Ｂの面積の比率Ｒは、１０〜２０％の範囲内とされている。面積比率Ｒをこの範囲内とすることで、明時及び暗時の双方において第１のパターンと第２のパターンとの間でのコントラストの高い標示を可能となし、明時と暗時とで第１のパターンと第２のパターンとの間の明暗関係の反転した標示を可能となす機能を、良好に発揮することができる。即ち、比率Ｒが１０％未満では暗時に主光源６を点灯した時における第２のパターンの明るさが不十分となって第１のパターンとのコントラストが低下するおそれが高くなる傾向にあり、比率Ｒが２０％を越えると明時における第２のパターンの明度が高くなって第１のパターンとのコントラストが低下するおそれが高くなる傾向にある。
【００２１】
光拡散板５は、複数の主光源６から発せられて到来する光を拡散することで、光制御シート４に対して平均化された分布で光を入射させる機能を持つ。光拡散板５としては、たとえば光拡散剤としての酸化チタン粒子を分散してなる厚さ１〜３ｍｍ程度のアクリル樹脂板（乳半板）からなる。
【００２２】
以上の透明保護板３、光制御フィルム４及び光拡散板５は、たとえば両面粘着テープなどにより接合して一体化することができる。また、透明保護板３、光制御フィルム４及び光拡散板５は、図１に示されているように、前面部材１の光透過部２の形成された帯形部分１Ｂに対応する領域にのみ配置することができる。
【００２３】
主光源６は、たとえば発光ダイオード（ＬＥＤ）からなる。ＬＥＤとしては、白色発光のもの［たとえば三菱電機オスラム株式会社製のＷ２タイプ用ＬＥＤパッケージ（放射角１２０°）］を使用することができる。但し、本発明においては、ＬＥＤは、白色発光のものに限定されることはなく、その他の所望の発光色のものを使用することができる。好ましくは、帯状のハードまたはフレキシブルな基板６’上に、１列状または２列状に適宜の個数のＬＥＤを適宜の間隔（例えば１０〜２０ｍｍ間隔）で搭載し、基板６’に各ＬＥＤに対する給電回路（不図示）を配設しモジュール化したものを使用することができる。基板６’には、所望により、例えばアルミニウム製の放熱部材（不図示）を接続することができる。光拡散板５と基板６’との距離は、例えば３０〜６０ｍｍである。主光源６は、少なくとも光透過部２に所要の光が到来するように、光透過部２に対応する領域に配置されているのが好ましい。主光源６は、光制御フィルム４を通過した後の輝度が２００〜１０００ｃｄ／ｍ２となるように、個々の出力、使用個数及び配置密度等を設定するのが好ましい。
【００２４】
背面部材７は、前面部材１と同等な外形を有する構造部材であり、たとえば厚さ１ｍｍ程度のステンレススチール製の板状の部材からなり、その表面形状は好ましくは平面である。
【００２５】
図４は図１のＹ−Ｙ線に沿った模式的部分断面図である。本実施形態においては、図４に示されるように、主光源６の配置されている領域以外の領域において、前面部材１の背後に、後方への光照射のための間接照明光源１６を備えている。間接照明光源１６は、たとえば、上記主光源６と同様な発光ダイオード（ＬＥＤ）からなり、好ましくは、帯状のハードまたはフレキシブルな基板１６’上に、１列状に適宜の個数のＬＥＤを搭載し、基板１６’に各ＬＥＤに対する給電回路（不図示）を配設しモジュール化したものを使用する。基板１６’には、所望によりたとえばアルミニウム製の放熱部材（不図示）を接続することができる。間接照明光源１６は、前面部材１の外形縁に沿って配列することができる。図示されているように、背面部材７には、その外形縁に沿って適宜の間隔で形成された光透過用開口８が形成されている。この開口８には、光透過性の窓を付してもよい。図４において、本実施形態の標示装置が取り付けられる壁面９が図示されている。壁面９は、背面部材７とほぼ平行に該背面部材から適宜の距離隔てられて配列されている。従って、間接照明光源１６から発せられた光は、開口８から壁面の９の方へと進行し、該壁面９の主として前面部材１の外形縁に沿った部分を照明し、この照明光の反射光が前方へと進行する。尚、背面部材７は、不図示の取り付け手段によって壁面９に取り付けられる。
【００２６】
図５は、背面部材７の前面側における主光源６及び間接照明光源１６の配置を示す模式図である。この図において、光透過部２のパターン形状も図示されている。
【００２７】
図６は、主光源６及び間接照明光源１６に対する給電経路の構成を示す模式図である。主光源６及び間接照明光源１６のそれぞれの所要数のモジュールに対してＯＮ−ＯＦＦ制御手段１０を介して電源１１が接続されており、これにより給電経路が構成されている。
【００２８】
次に、本実施形態の標示装置の動作につき説明する。
【００２９】
周囲環境の外光による照明がなされる昼間などの明時においては、ＯＮ−ＯＦＦ制御手段１０により、主光源６及び間接照明光源１６に対する電源１１からの給電を遮断する。その場合には、光透過部２を介して視認される第２パターンは、光制御フィルム４の８０〜９０％の領域を占める遮光領域４Ａの反射光に基づく黒色または濃色系の低明度のものとなる。これに対して、第１パターンは、前面部材１の表面からの反射光に基づく金属光沢または白色系などの高明度のものとなる。これにより、図７に示されているように、第１のパターンが高明度で第２のパターンが低明度のコントラストの高い標示が可能である。
【００３０】
他方、周囲環境の外光が殆どない夜間などの暗時においては、ＯＮ−ＯＦＦ制御手段１０により、主光源６及び間接照明光源１６に対して電源１１から給電する。その場合には、光透過部２を介して視認される第２パターンは、光制御フィルム４の１０〜２０％の領域を占める透光領域４Ｂを透過する主光源６からの光に基づく高明度のものとなる。これに対して、第１パターンは、間接照明光源１６から発せられ壁面９により反射される間接照明光をバックグラウンドとして浮かび上がる影に基づく低明度のものとなる。これにより、図８に示されているように、第１のパターンが低明度で第２のパターンが高明度のコントラストの高い標示が可能である。
【００３１】
かくして、明時及び暗時の双方において第１のパターンと第２のパターンとの間でのコントラストの高い標示が可能となり、更に、明時と暗時とで第１のパターンと第２のパターンとの間の明暗関係の反転した標示が可能となる。
【図面の簡単な説明】
【００３２】
【図１】本発明による標示装置の一つの実施形態を示す模式的平面図である。
【図２】図１のＸ−Ｘ線に沿った模式的部分分解断面図である。
【図３】光制御フィルムの具体例の模式的部分拡大平面図である。
【図４】図１のＹ−Ｙ線に沿った模式的部分断面図である。
【図５】主光源及び間接照明光源の配置を示す模式図である。
【図６】主光源及び間接照明光源に対する給電経路の構成を示す模式図である。
【図７】本発明による標示装置の動作説明図である。
【図８】本発明による標示装置の動作説明図である。
【符号の説明】
【００３３】
１  前面部材
１Ａ  円環形部分
１Ｂ  帯形部分
２  光透過部
３  透明保護板
４  光制御フィルム
４１  透明基材
４２  遮光部
４Ａ  遮光領域
４Ｂ  透光領域
５  光拡散板
６  主光源
６’  基板
７  背面部材
８  光透過用開口
９  壁面
１０  ＯＮ−ＯＦＦ制御手段
１１  電源
１６  間接照明光源
１６’  基板
【図１】
2007163760.tif 000003
【図２】
2007163760.tif 000004
【図３】
2007163760.tif 000005
【図４】
2007163760.tif 000006
【図５】
2007163760.tif 000007
【図６】
2007163760.tif 000008
【図７】
2007163760.tif 000009
【図８】
2007163760.tif 000010